(57)【要約】【課題】投写光学装置の仕様が異なる複数の機種間で上ケースの主体となる部分を共通使用でき、投写光学装置と上ケースとの隙間から異物や塵埃の侵入が抑えられるプロジェクターを提供する。【解決手段】変調された光束を投写面に射出する投写光学装置６００Ａ，６００Ｂと、投写光学装置６００Ａ，６００Ｂを内部に収納する外装ケース２Ａ，２Ｂと、を備えたプロジェクター１Ａ，１Ｂにおいて、投写光学装置６００Ａ，６００Ｂは投写光学装置６００Ａ，６００Ｂを構成する複数のレンズの相対位置を変更する調整部６０Ａ，６０Ｂを備え、外装ケース２Ａ，２Ｂは、開口部４ａを有する上ケース体４と、開口部４ａに取り付けられており開口部５ａ，６ａを有するカバー体５，６とを備え、開口部５ａ，６ａは、調整部６０Ａ，６０Ｂの位置に対応して設けられていることを特徴とする。【選択図】図２
2012047933.tif 000002
【特許請求の範囲】
【請求項１】
変調された光束を投写する投写光学装置と、
前記投写光学装置を内部に収納する外装ケースと、を備えたプロジェクターであって、
前記投写光学装置は、該投写光学装置を構成する複数のレンズの相対位置を変更する調整部を備え、
前記外装ケースは、第１の開口部を有する上ケース体と、前記第１の開口部に取り付けられており第２の開口部を有するカバー体と、を備え、
前記第２の開口部は、前記調整部の位置に対応して設けられていることを特徴とするプロジェクター。
【請求項２】
請求項１に記載のプロジェクターであって、
前記上ケース体は、前記投写光学装置から射出される前記光束を通過させるための第３の開口部をさらに有し、
前記外装ケースは、前記投写光学装置から前記第３の開口部に至る前記光束の光路を囲むように設けられた筒状部をさらに備えていることを特徴とするプロジェクター。
【請求項３】
請求項２に記載のプロジェクターであって、
前記外装ケースは、
前記第３の開口部を閉塞可能な遮蔽部材と、
前記遮蔽部材を、前記第３の開口部を閉塞する位置と前記第３の開口部を開放する位置との間で移動可能に保持する保持部材と、をさらに備え、
前記保持部材は、前記筒状部と一体に構成されていることを特徴とするプロジェクター。
【発明の詳細な説明】
【技術分野】
【０００１】
本発明は、プロジェクターに関する。
【背景技術】
【０００２】
外装筐体が複数の部材で構成されたプロジェクターが提案されている（例えば、特許文献１参照）。特許文献１に記載のプロジェクターでは、トップカバーが、外殻カバーと、外殻カバーの一部に対して着脱可能に配設された操作部カバーとを備えている。操作部カバーは、例えば、投写光学系の操作ノブの有無に対応して、開口部のあるものとないものとが用意され、操作部カバーを機種変更に対応して選択することで、外殻カバーが共通使用可能とされている。
【先行技術文献】
【特許文献】
【０００３】
【特許文献１】特開２００７−１６４０７５号公報
【発明の概要】
【発明が解決しようとする課題】
【０００４】
ところで、同じモデル系列のプロジェクターに異なる仕様の投写光学装置（投写光学系）を備える構成では、投写光学装置のレンズの口径や鏡筒の長さ等の違いに起因して、上ケース（トップカバー）に対する投写光学装置の調整部（操作ノブ）の位置が水平方向や垂直方向において異なる場合や、上ケース正面側に対する投写光学装置先端の位置が奥寄りになる場合があり得る。
このような場合でも、上ケースの主体となる部分（外殻カバー）を共通使用可能とするとともに、上ケースと調整部との隙間や上ケースと投写光学装置先端との隙間を小さくしてこれらの隙間から異物や塵埃の侵入が抑えられる構成が要望されている。しかしながら、特許文献１では、操作ノブの有無に対応した構成については言及されているが、上述のような場合に対応できる構成については開示されていない。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、変調された光束を投写する投写光学装置と、前記投写光学装置を内部に収納する外装ケースと、を備えたプロジェクターであって、前記投写光学装置は、該投写光学装置を構成する複数のレンズの相対位置を変更する調整部を備え、前記外装ケースは、第１の開口部を有する上ケース体と、前記第１の開口部に取り付けられており第２の開口部を有するカバー体と、を備え、前記第２の開口部は、前記調整部の位置に対応して設けられていることを特徴とする。
【０００７】
この構成によれば、上ケース体の第１の開口部にカバー体が取り付けられており、カバー体には投写光学装置の調整部の位置に対応して第２の開口部が設けられている。このため、複数の機種間で投写光学装置の調整部の位置が異なる場合でも、各投写光学装置に対応してカバー体を異ならせることで、上ケース体は共通して使用することができる。また、第２の開口部を調整部の位置に対応させることにより、カバー体と投写光学装置との隙間を小さくして第２の開口部からプロジェクター内部への異物や塵埃の侵入を抑えることが可能となる。
【０００８】
［適用例２］上記適用例に係るプロジェクターであって、前記上ケース体は、前記投写光学装置から射出される前記光束を通過させるための第３の開口部をさらに有し、前記外装ケースは、前記投写光学装置から前記第３の開口部に至る前記光束の光路を囲むように設けられた筒状部をさらに備えていることが好ましい。
【０００９】
この構成によれば、投写光学装置から第３の開口部に至る光束の光路を囲むように筒状部が設けられている。このため、投写光学装置の先端と第３の開口部とが離れた構成であってもその隙間が筒状部で囲まれるので、第３の開口部からプロジェクター内部への塵埃や異物等の侵入を抑えるとともに、第３の開口部からプロジェクター内部を見え難くすることができる。また、複数の機種間で外装ケースに対する投写光学装置の位置関係が異なる場合でも、筒状部を異ならせることで、上ケース体は共通して使用することができる。
【００１０】
［適用例３］上記適用例に係るプロジェクターであって、前記外装ケースは、前記第３の開口部を閉塞可能な遮蔽部材と、前記遮蔽部材を、前記第３の開口部を閉塞する位置と前記第３の開口部を開放する位置との間で移動可能に保持する保持部材と、をさらに備え、前記保持部材は、前記筒状部と一体に構成されていることが好ましい。
【００１１】
この構成によれば、第３の開口部を遮蔽部で閉塞できるので、プロジェクターを使用しないときに、投写光学装置を保護するとともに投写光学装置への異物や塵埃等の付着を抑えることができる。また、保持部材と筒状部とが一体に構成されているので、プロジェクターの組立や修理時の取り扱いが容易になる。
【図面の簡単な説明】
【００１２】
【図１】第１の実施形態に係るプロジェクターの概略構成を示す模式図。
【図２】第１の実施形態に係るプロジェクターを示す斜視図。
【図３】第１の実施形態に係るプロジェクターの平面図および正面図。
【図４】上ケース体へのカバー体の取付方法を説明する図。
【図５】第２の実施形態に係るプロジェクターを示す斜視図。
【図６】上ケース体へのカバー体および保持部の取付方法を説明する図。
【発明を実施するための形態】
【００１３】
以下に、本発明の一実施形態について図面を参照して説明する。なお、参照する各図面において、構成をわかりやすく示すため、各構成要素の寸法の比率、角度等は適宜異ならせてある。
【００１４】
（第１の実施形態）
＜プロジェクターの構成＞
まず、第１の実施形態に係るプロジェクターの概略構成について、図１を参照して説明する。図１は、第１の実施形態に係るプロジェクターの概略構成を示す模式図である。第１の実施形態に係るプロジェクター１は、光源から射出される光束を画像情報に応じて変調してスクリーン等の投写面に拡大投写する電子機器である。
【００１５】
図１に示すように、プロジェクター１は、外装ケース２と、光源装置１００と、照明光学装置２００と、色分離光学装置３００と、リレー光学装置４００と、光変調装置５００と、投写光学装置６００とを備えている。光源装置１００、照明光学装置２００、色分離光学装置３００、リレー光学装置４００、光変調装置５００、および投写光学装置６００は外装ケース２内に収納され固定されている。
【００１６】
また、図示を省略するが、プロジェクター１は、外装ケース２内における空間に、プロジェクター１内部を冷却するためのファン、プロジェクター１内部の各構成部材に電力を供給する電源装置、プロジェクター１内部の各構成部材を制御する制御装置等をさらに備えている。
【００１７】
光源装置１００は、光束を射出する発光管１１０と、リフレクター１２０とを備えている。発光管１１０は、超高圧水銀ランプやメタルハライドランプ等からなる。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００１８】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００１９】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００２０】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００２１】
光変調装置５００は、フィールドレンズ５１０Ｒ，５１０Ｇ，５１０Ｂと、入射側偏光板（図示省略）と、液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００２２】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００２３】
投写光学装置６００は、複数のレンズと複数のレンズを内部に収納する筒状の鏡筒とで構成される（具体的な図示は省略）。投写光学装置６００は、光変調装置５００で変調され合成された光束をスクリーン等の投写面上に射出する。これにより、投写面上に画像が拡大投写される。
【００２４】
＜外装ケースの構成＞
次に、第１の実施形態に係るプロジェクターの外装ケースの構成について、図２および図３を参照して説明する。プロジェクター１は、基本構成を同じとする同系列のプロジェクターであって、投写光学装置６００の仕様が互いに異なる複数の機種を有している。本実施形態では、投写光学装置６００Ａを備えたプロジェクター１Ａと、投写光学装置６００Ａとは仕様が異なる投写光学装置６００Ｂを備えたプロジェクター１Ｂとを例にとり説明する。
【００２５】
図２は、第１の実施形態に係るプロジェクターを示す斜視図である。詳しくは、図２（ａ）はプロジェクター１Ａを正面上方側から見た斜視図であり、図２（ｂ）はプロジェクター１Ｂを正面上方側から見た斜視図である。また、図３は、第１の実施形態に係るプロジェクターの平面図および正面図である。詳しくは、図３（ａ）はプロジェクター１Ａを上方側から見た平面図であり、図３（ｂ）はプロジェクター１Ｂを上方側から見た平面図であり、図３（ｃ）はプロジェクター１Ａの正面図であり、図３（ｄ）はプロジェクター１Ｂの正面図である。
【００２６】
なお、以下の図および説明では、投写光学装置６００から光束が投写される方向を＋Ｘ方向とし、光源装置１００から光束が射出される方向を＋Ｙ方向とする。さらに、Ｘ方向およびＹ方向に直交し、かつ、図２の図面視における上方向を＋Ｚ方向とする。すなわち、Ｘ，Ｙ，Ｚで示される各方向は、それぞれ互いに直交する。また、プロジェクター１Ａ，１Ｂにおいて、＋Ｘ側（光束射出側）の面を正面と呼び、その反対側の面を背面と呼ぶ。そして、＋Ｚ側（据置き姿勢での上方側）の面を天面と呼び、その反対側の面を底面と呼ぶ。
【００２７】
図２（ａ）に示すように、プロジェクター１Ａは外装ケース２Ａを備えている。外装ケース２Ａは、例えば合成樹脂製の筐体であり、上ケース３Ａと下ケース７とで構成される。なお、外装ケース２Ａは、合成樹脂製に限定されず、その他の材料、例えば金属等により構成されていてもよい。
【００２８】
上ケース３Ａは、プロジェクター１Ａの天面、正面の一部、背面の一部、および側面の一部を構成する。下ケース７は、プロジェクター１Ａの底面、正面の一部、背面の一部、および側面の一部を構成する。下ケース７には、光源装置１００、照明光学装置２００、色分離光学装置３００、リレー光学装置４００、光変調装置５００（以上は図１参照）、および投写光学装置６００Ａが所定の位置に配置されている。上ケース３Ａは、下ケース７の上方に、上述の各装置を覆うように配置され、下ケース７にネジ等で固定されている。
【００２９】
投写光学装置６００Ａは、複数のレンズの相対位置を変更して投写面上に投写される画像のズーム状態やフォーカスを調整する調整部６０Ａを備えている。調整部６０Ａは、鏡筒の中心軸を中心として回転するリング６１Ａと、リング６１Ａを回転操作するための突起部６２Ａとで構成される。使用者が突起部６２Ａを把持してリング６１Ａを回転操作することにより、複数のレンズの相対位置が変更される。これにより、手動で画像のズーム状態やフォーカスを調整することができる。
【００３０】
上ケース３Ａは、上ケース体４と、カバー体５とを備えている。上ケース体４は、天面に設けられた第１の開口部としての開口部４ａと、正面に設けられた第３の開口部としての開口部４ｂとを有している。開口部４ａは、＋Ｚ側から見て、投写光学装置６００Ａと重なるように設けられている。開口部４ｂは、投写光学装置６００Ａから射出される光束を通過させるためのものであり、投写光学装置６００Ａと対向するように設けられている。
【００３１】
なお、図示を省略するが、上ケース体４は、プロジェクター１Ａの電源オン／オフや投写される画像の画質調整等のための操作部や、プロジェクター１Ａ内部に冷却風を流通させるための吸気口および排気口等をさらに備えている。
【００３２】
カバー体５は、開口部４ａに取り付けられている。カバー体５は、枠状の基部５ｂと、基部５ｂから投写光学装置６００Ａ側に筒状に張り出した斜面部５ｃと、第２の開口部としての開口部５ａと、基部５ｂに接続された複数の固定部５ｄ（図４（ａ）参照）とを有している。
【００３３】
開口部５ａは、斜面部５ｃの先端側に設けられており、図３（ａ）に示すように、＋Ｚ側から見て調整部６０Ａの位置に対応して配置されている。より具体的には、開口部５ａは、ズーム状態やフォーカスを調整する際のリング６１Ａの所定の回転範囲において、突起部６２Ａとリング６１Ａの一部とが露出するように設けられている。
【００３４】
図３（ｃ）に示すように、開口部５ａが設けられた斜面部５ｃの先端は、＋Ｘ側から見て、投写光学装置６００Ａの鏡筒の外形に沿うように湾曲している。このようにして斜面部５ｃと投写光学装置６００Ａとの隙間を小さくすることで、開口部５ａからプロジェクター１Ａ内部への異物や塵埃の侵入が抑えられる。
【００３５】
次に、図２（ｂ）に示すように、プロジェクター１Ｂは外装ケース２Ｂを備えている。外装ケース２Ｂは上ケース３Ｂと下ケース７とで構成され、上ケース３Ｂは上ケース体４とカバー体６とを備えている。したがって、外装ケース２Ａと外装ケース２Ｂとでは、上ケース体４は共通であり、カバー体５，６が異なっている。以下では、プロジェクター１Ａと共通する構成については説明を省略する。
【００３６】
カバー体６は、開口部４ａに取り付けられている。カバー体６は、基部６ｂと、第２の開口部としての開口部６ａと、斜面部６ｃと、固定部６ｄ（図４（ｂ）参照）とを有している。
【００３７】
投写光学装置６００Ｂは、リング６１Ｂと突起部６２Ｂとで構成される調整部６０Ｂを備えている。投写光学装置６００Ｂの射出側の先端は、投写光学装置６００Ａの射出側の先端よりも上ケース体４の正面に対して奥寄り、すなわち−Ｘ側に位置している。したがって、調整部６０Ｂは投写光学装置６００Ａの調整部６０Ａよりも−Ｘ側に位置している（図３（ａ），（ｂ）参照）。
【００３８】
また、投写光学装置６００Ｂのレンズの口径は投写光学装置６００Ａのレンズの口径よりも小さく、投写光学装置６００Ｂの鏡筒の上端は投写光学装置６００Ａの鏡筒の上端よりも上ケース体４の天面に対して下方側、すなわち−Ｚ側に位置している（図３（ｃ），（ｄ）参照）。したがって、調整部６０Ｂは調整部６０Ａよりも−Ｚ側に位置している。
【００３９】
このような投写光学装置６００Ｂに対応して、カバー体６の開口部６ａは、リング６１Ｂの一部と突起部６２Ｂとが露出するように、カバー体５の開口部５ａよりも−Ｘ側に配置されている（図３（ａ），（ｂ）参照）。また、斜面部６ｃは斜面部５ｃよりも−Ｚ側まで張り出しており、開口部６ａが設けられた斜面部６ｃの先端は＋Ｘ側から見て投写光学装置６００Ｂの鏡筒の外形に沿うように湾曲している（図３（ｃ），（ｄ）参照）。
【００４０】
なお、上ケース体４において、開口部４ａの位置および大きさは、投写光学装置６００Ａ，６００Ｂのように投写光学装置のＸ方向やＹ方向における位置、鏡筒の長さ等が異なっても、調整部の一部が開口部４ａの領域内に配置されるように適宜設定されている。また、開口部４ｂの位置および大きさは、投写光学装置のレンズの口径や中心位置が異なっても、投写光学装置から射出される光束の有効光路に対応するように適宜設定されている。なお、有効光路とは、投写光学装置から射出される光束のうち、投写面上に投写される画像に寄与する光束の光路を意味する。
【００４１】
続いて、上ケース体へのカバー体の取付方法を、図４を参照して説明する。図４は、上ケース体へのカバー体の取付方法を説明する図である。詳しくは、図４（ａ）は上ケース３Ａを背面下方側から見た斜視図であり、図４（ｂ）は上ケース３Ｂを背面下方側から見た斜視図である。なお、図４（ａ）ではカバー体５が上ケース体４に取り付けられた状態を示し、図４（ｂ）ではカバー体６が上ケース体４に取り付けられる前の状態を示している。
【００４２】
図４（ａ），（ｂ）に示すように、カバー体５，６は、上ケース体４の天面の内側にネジ止めされて取り付けられている。上ケース体４には、開口部４ａの周囲におけるカバー体５，６の固定部５ｄ，６ｄに対応する位置に支持部４ｃが設けられており（図４（ｂ）参照）、固定部５ｄ，６ｄがネジ９により支持部４ｃに固定される。カバー体５，６は、ネジ９を外すことにより上ケース体４から着脱可能である。
【００４３】
ここで、仮にカバー体５，６が上ケース体４の外側から着脱可能である場合、使用者が不用意にカバー体５，６を取り外してしまうおそれがあるが、上ケース体４の外側からは着脱できない構造とすることでこのようなリスクが回避される。
【００４４】
以上、第１の実施形態に係るプロジェクター１Ａ，１Ｂの構成によれば、以下の効果が得られる。
【００４５】
（１）外装ケース２Ａ，２Ｂが、上ケース３Ａ，３Ｂの主体となる部分である上ケース体４と、上ケース体４の開口部４ａに取り付けられたカバー体５，６とで構成されている。また、カバー体５，６の開口部５ａ，６ａが、調整部６０Ａ，６０Ｂの位置に対応して、突起部６２Ａ，６２Ｂとリング６１Ａ，６１Ｂの一部とが露出するように設けられている。そのため、互いに仕様が異なる投写光学装置６００Ａ，６００Ｂに対して、カバー体５，６を異ならせることで、上ケース体４を共通に使用することができる。これにより、複数の機種に対して同一の金型を使用できるので、外装ケースの製造コストを低減できる。
【００４６】
（２）開口部５ａ，６ａが設けられた斜面部５ｃ，６ｃの先端が、＋Ｘ側から見て投写光学装置６００Ａ，６００Ｂの鏡筒の外形に沿うように湾曲しているので、カバー体５，６と投写光学装置６００Ａ，６００Ｂとの隙間を小さくできる。これにより、開口部５ａ，６ａからプロジェクター１Ａ，１Ｂ内部への異物や塵埃の侵入が抑えられる。
【００４７】
なお、本実施形態では、投写光学装置６００Ａ，６００Ｂを備えたプロジェクター１Ａ，１Ｂの２機種を例にあげて説明したが、カバー体の開口部のＸ方向およびＹ方向における位置、筒状部の張り出し量、筒状部の先端形状等を投写光学装置に対応させて適宜設定することで、上記以外の仕様が異なる投写光学装置を備えた機種に対しても同一の上ケース体４を共通使用することが可能である。
【００４８】
（第２の実施形態）
＜外装ケースの構成＞
次に、第２の実施形態に係るプロジェクターの外装ケースの構成について説明する。第２の実施形態に係るプロジェクター１１Ａ，１１Ｂは、第１の実施形態と同様に基本構成を同じとする同系列のプロジェクターであり、互いに仕様が異なる投写光学装置６００Ａ，６００Ｂを備えている。第２の実施形態に係るプロジェクター１１Ａ，１１Ｂは、第１の実施形態に係るプロジェクター１Ａ，１Ｂに対して、上ケースが遮蔽部材、保持部材、および筒状部をさらに備えている点が異なっているが、その他の構成はほぼ同じである。第１の実施形態と共通する構成要素については、同一の符号を付しその説明を省略する。
【００４９】
図５は、第２の実施形態に係るプロジェクターを示す斜視図である。詳しくは、図５（ａ）はプロジェクター１１Ａを正面上方側から見た斜視図であり、図５（ｂ）はプロジェクター１１Ｂを正面上方側から見た斜視図である。また、図６は、上ケース体へのカバー体および保持部材の取付方法を説明する図である。詳しくは、図６（ａ）は上ケース１３Ａを背面下方側から見た斜視図であり、図６（ｂ）は上ケース１３Ｂを背面下方側から見た斜視図である。
【００５０】
図５（ａ）に示すように、プロジェクター１１Ａは、上ケース１３Ａと下ケース７とで構成された外装ケース１２Ａを備えている。上ケース１３Ａは、上ケース体１４と、カバー体５と、遮蔽部材としてのレンズカバー２０と、レンズカバー２０を保持する保持部材２１（図６（ａ）参照）とを備えている。
【００５１】
また、図５（ｂ）に示すように、プロジェクター１１Ｂは、上ケース１３Ｂと下ケース７とで構成された外装ケース１２Ｂを備えている。上ケース１３Ｂは、上ケース体１４と、カバー体６と、レンズカバー２０（図６（ｂ）参照）と、レンズカバー２０を保持する保持部材２４とを備えている。上ケース１３Ａと上ケース１３Ｂとでは、上ケース体１４は共通であり、カバー体５，６および保持部材２１，２４が投写光学装置６００Ａ，６００Ｂに対応して異なっている。
【００５２】
なお、図５（ａ）および図６（ａ）ではレンズカバー２０が開口部４ｂを閉塞する位置にある状態を示し、図５（ｂ）および図６（ｂ）ではレンズカバー２０が開口部４ｂを開放する位置にある状態を示している。また、図６（ａ）ではカバー体５および保持部材２１が上ケース体１４に取り付けられた状態を示し、図６（ｂ）ではカバー体６および保持部材２４が上ケース体１４に取り付けられる前の状態を示している。
【００５３】
図５（ａ），（ｂ）に示すように、上ケース体１４は、開口部４ａと開口部４ｂと開口部４ｄとを有している。上ケース体１４は、第１の実施形態における上ケース体４に対して開口部４ｄをさらに有している点が異なっている。開口部４ｄは、上ケース体１４における開口部４ａの＋Ｘ側に設けられており、Ｙ方向に沿って延在するように配置されている。開口部４ｄは、後述するレンズカバー２０の操作部２０ａを、上ケース体１４から突出させるとともにスライド操作可能に案内している。
【００５４】
レンズカバー２０は、上ケース体１４の正面の内側に配置されている。レンズカバー２０は、略長方形の板状の部材で構成され、開口部４ｂを閉塞可能な面積を有している。レンズカバー２０は、プロジェクター１１Ａ，１１Ｂを使用しないときに開口部４ｂを閉塞することで、投写光学装置６００Ａ，６００Ｂを保護するとともに、開口部４ｂからプロジェクター１１Ａ，１１Ｂ内部への異物や塵埃等の侵入を防止する機能を有する。
【００５５】
レンズカバー２０には、レンズカバー２０の上部から＋Ｚ側に突出して開口部４ｄから露出する操作部２０ａが設けられている。使用者が操作部２０ａを把持してＹ方向に沿ってスライド操作することにより、レンズカバー２０を開口部４ｂを閉塞する位置と開口部４ｂを開放する位置との間で移動させることができる。
【００５６】
図６（ａ）に示すように、保持部材２１は、保持部２２と筒状部２３とで構成される。保持部２２は、上ケース体１４の天面の内側に配置される天面部２２ａと、上ケース体１４の正面の内側に配置される正面部２２ｂとが一体に形成されたものであり、Ｙ方向から見て略Ｌ字形状を有している。保持部材２１は、天面部２２ａが上ケース体１４の天面の内側に設けられた支持部４ｃにネジ９によりネジ止めされて、上ケース体１４に取り付けられている。
【００５７】
保持部２２は、正面部２２ｂに、例えばＹ方向に沿って延在する溝状の案内部を有し、この案内部によりレンズカバー２０を開口部４ｂを閉塞する位置と開口部４ｂを開放する位置との間でスライド可能に保持している。
【００５８】
筒状部２３は、保持部２２と一体に形成されている。筒状部２３は、正面部２２ｂから−Ｘ側に延出し、投写光学装置６００Ａから開口部４ｂに至る光束の光路を囲むように設けられている。筒状部２３の−Ｘ側の開口部２３ａは、投写光学装置６００Ａから射出される光束に対応して設けられている。
【００５９】
図６（ｂ）に示すように、保持部材２４は、保持部材２１に対して、保持部２２が共通であり筒状部２５が異なっている。投写光学装置６００Ｂの射出側の先端は、投写光学装置６００Ａの射出側の先端よりも−Ｘ側に位置している。したがって、投写光学装置６００Ｂから開口部４ｂに至る光束の光路を囲むように設けられる筒状部２５の−Ｘ側への奥行きは、筒状部２３よりも長くなっている。
【００６０】
また、投写光学装置６００Ｂのレンズの口径は投写光学装置６００Ａのレンズの口径よりも小さいので、筒状部２５の−Ｘ側の開口部２５ａは、筒状部２３の開口部２３ａよりも小さくなっている。
【００６１】
以上、第２の実施形態に係るプロジェクター１１Ａ，１１Ｂの構成によれば、第１の実施形態で得られる効果に加えて以下の効果が得られる。
【００６２】
（１）外装ケース１２Ａ，１２Ｂが、投写光学装置６００Ａ，６００Ｂから開口部４ｂに至る光束の光路を囲むように設けられた筒状部２３，２５を備えている。そのため、上ケース体１４と投写光学装置６００Ａ，６００Ｂとの間が離れていても、筒状部２３，２５が介在することで隙間を小さくすることができる。これにより、開口部４ｂからプロジェクター１１Ａ，１１Ｂ内部への異物や塵埃の侵入が抑えられる。
特に、プロジェクター１１Ｂでは、上ケース体１４の正面側に対する投写光学装置６００Ｂの射出側先端がより奥寄りになるため、上ケース体１４と投写光学装置６００Ｂとの隙間がプロジェクター１１Ａよりも大きくなる。そのため、開口部４ｂからこの隙間を通って異物や塵埃が侵入し易くなるだけでなく、使用者が不用意に指等を内部に入れてしまうおそれもあるが、筒状部２５を備えることによりこの隙間を小さくできるので、このようなリスクを回避できる。
また、開口部４ｂと投写光学装置６００Ａ，６００Ｂとの隙間が小さくなるので、プロジェクター１１Ａ，１１Ｂの内部が使用者から見えにくくなりプロジェクター１１Ａ，１１Ｂの外観が向上する。
【００６３】
（２）保持部材２１，２４により、開口部４ｂを閉塞する位置と開口部４ｂを開放する位置との間でスライド可能に保持されたレンズカバー２０を備えている。これにより、プロジェクター１１Ａ，１１Ｂを使用しないときに開口部４ｂを閉塞することで、投写光学装置６００Ａ，６００Ｂを保護するとともに、開口部４ｂからプロジェクター１１Ａ，１１Ｂ内部への異物や塵埃等の侵入を防止することができる。
【００６４】
（３）筒状部２３，２５が保持部材２１，２４と一体に形成されているので、プロジェクター１１Ａ，１１Ｂの組立や修理時の取り扱いが容易になる。
【００６５】
なお、本実施形態では、投写光学装置６００Ａ，６００Ｂを備えたプロジェクター１１Ａ，１１Ｂを例にあげて説明したが、保持部材の筒状部の奥行き、筒状部の開口部の形状等を投写光学装置に対応させて適宜設定することで、上記以外の仕様が異なる投写光学装置に対しても同一の上ケース体１４を共通使用することが可能である。
【００６６】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００６７】
（変形例１）
第２の実施形態におけるプロジェクター１１Ａ，１１Ｂは、筒状部２３，２５が保持部材２１，２４と一体に形成された構成を有していたが、このような構成に限定されない。筒状部２３，２５が、保持部材２１，２４とは別体で形成され、保持部材２１，２４にネジ止め等により固定されることで一体に構成されるようにしてもよい。筒状部２３，２５を別体で形成すれば、保持部２２に同一の金型を使用できる。また、筒状部２３，２５の代わりに、保持部２２に板状の壁を複数設けた構成としてもよい。
【００６８】
（変形例２）
上記実施形態におけるプロジェクター１Ａ，１Ｂ，１１Ａ，１１Ｂでは、仕様の異なる投写光学装置毎に異なるカバー体を備える構成であったが、必ずしもこのような構成に限定されない。例えば、カバー体のＸ方向における向きを反転させたときに、それぞれの向きにおいてカバー体の開口部がそれぞれの投写光学装置の調整部の位置に対応する場合は、これらの投写光学装置に対して同一のカバー体を使用してもよい。この場合、カバー体の固定部および上ケース体の支持部が、カバー体が取り付けられる開口部の中心に対して回転対称に配置された構成とすることで、カバー体の向きを反転させて取り付けることが可能となる。また、投射光学装置のうちレンズ口径が小さい投写光学装置においてはカバー体と投写光学装置との隙間が大きくなってしまうが、斜面部の先端と投写光学装置の鏡筒の間に外形クッション等の封止部材を介装することで隙間は小さくできる。共通のカバー体を使用できることでさらに部品の共通化を図ることができる。
【００６９】
（変形例３）
上記実施形態におけるプロジェクター１Ａ，１Ｂ，１１Ａ，１１Ｂは、光を透過し光束入射面と光束射出面とが異なる透過型の液晶装置５２０を備えた透過型のプロジェクターであるが、本発明はこれに限定されるものではない。プロジェクターは、光を反射し光束入射面と光束射出面とが同一となる反射型の液晶装置を備えた反射型のプロジェクターであってもよい。反射型のプロジェクターに本発明を適用した場合にも、透過型のプロジェクターと同様の効果を得ることができる。  
【００７０】
（変形例４）
上記実施形態におけるプロジェクター１Ａ，１Ｂ，１１Ａ，１１Ｂは光変調装置に３つの液晶装置５２０を用いたプロジェクターであるが、本発明はこれに限定されるものではない。本発明は、例えば、１つ、２つまたは４つ以上の液晶装置を用いたプロジェクターにも適用することができる。
【００７１】
（変形例５）
上記実施形態のプロジェクター１Ａ，１Ｂ，１１Ａ，１１Ｂの構成では、光変調装置に液晶装置５２０を用いているが、本発明はこれに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【符号の説明】
【００７２】
１Ａ，１Ｂ，１１Ａ，１１Ｂ…プロジェクター、２Ａ，２Ｂ，１２Ａ，１２Ｂ…外装ケース、４…上ケース体、４ａ…第１の開口部としての開口部、５，６…カバー体、５ａ，６ａ…第２の開口部としての開口部、４ｂ…第３の開口部としての開口部、２０…遮蔽部材としてのレンズカバー、２１，２４…保持部材、２３，２５…筒状部、６０Ａ，６０Ｂ…調整部、６００Ａ，６００Ｂ…投写光学装置。
【図１】
2012047933.tif 000003
【図２】
2012047933.tif 000004
【図３】
2012047933.tif 000005
【図４】
2012047933.tif 000006
【図５】
2012047933.tif 000007
【図６】
2012047933.tif 000008